(57)【要約】      （修正有）【課題】簡単に被着体に取り付けられ、雌雄の着脱が容易となり、生産性が高いうえに製造コストが低く、デザイン性に優れたマグネットホックを提供する。【解決手段】マグネットホックを、一方の被着体に固着された雄ホックと、他方の被着体の表面に配置され、この被着体に貫通するかしめ突起が突設されたキャップ部を備え、他方の被着体の裏面に配置され、底部１２の中央が開口１２ａに形成された有底筒状のケース１１と、ケース１１内に嵌入される略円環状のマグネット１４と、中央が開口１５ａに形成された略円板状の蓋部１５とからなり、ケース１１内に嵌入されたマグネット１４上に蓋部１５を載せた状態でケース１１の上縁部１３を内側に折り曲げてこれらが一体化されたソケット部１０を備え、キャップ部のかしめ突起をソケット部１０の蓋部１５の開口１５ａに挿通させた状態でかしめることによって他方の被着体に固着された雌ホックと、から構成した。【選択図】図１
0003154004.tif 000002
【実用新案登録請求の範囲】
【請求項１】
一方の被着体に金属製の突部を突出させて固着された雄ホックと、
他方の被着体の表面に配置され、該被着体を貫通するかしめ突起が突設されたキャップ部を備えるとともに、前記他方の被着体の裏面に配置され、底部の中央が開口形成された有底筒状のケースと、前記ケース内に嵌入される略円環状のマグネットと、中央が開口形成された略円板状の蓋部とからなり、前記ケース内に嵌入された前記マグネット上に前記蓋部を載せた状態で前記ケースの上縁部を内側に折り曲げてこれらが一体化されたソケット部を備え、前記キャップ部の前記かしめ突起を前記ソケット部の前記蓋部の開口に挿通させた状態でかしめることによって前記他方の被着体に固着された雌ホックと、から構成され、
前記雄ホックの前記突部を前記雌ホックの前記ケースの開口に挿入することで前記雄ホックと前記雌ホックとが磁力にて結合することを特徴とするマグネットホック。
【請求項２】
前記ケースの前記上縁部が複数片に分割されたことを特徴とする請求項１記載のマグネットホック。
【請求項３】
前記ソケット部を構成する前記ケースの底部の中央に形成された開口が、主開口と、前記主開口と周縁を合成させて該主開口に切欠き状に形成された副開口とからなることを特徴とする請求項１又は２記載のマグネットホック。
【考案の詳細な説明】
【技術分野】
【０００１】
本考案は、雌雄のホックの結合のために磁力を利用したマグネットホックに関する。
【背景技術】
【０００２】
ホックの一種であるスナップホックは、雄ホックと雌ホックを一対としたものであり、衣服、鞄、靴などの日常品における開閉部に広く用いられている。スナップホックでは、雄ホックのいわゆるゲンコと呼ばれる突部を雌ホックに形成された開口に嵌め込むことにより、この突部が雌ホックの開口に挿入されて結合する。雄ホックの開口には突部を開口内に保持するためのバネが設けられている。なお、スナップホックに用いられるバネには、雌ホックの開口の入口付近に二本の金属線を平行に並べたもの（二本バネ式）や、開口の内周面に金属環を配置したもの（リングバネ式）などがある。また、雄ホック又は雌ホックのうちで布地の表面にあらわれる方は、ロゴマークなどが施されたキャップ部を備えており、例えば衣服であれば、このキャップ部が衣服の表面にあらわれるように布地に取り付けられている。
【０００３】
また、ホックにはスナップホックの他に、下記特許文献１などに開示されるような磁力を利用して雄ホックと雌ホックとを結合するマグネットホックがある。その基本構成は、表面に凸部が形成された雄ホックと、内部にマグネットを有し、表面に雄ホックの凸部が嵌入される凹部が形成された雌ホックとからなり、雄ホックと雌ホックとを磁力によって着脱自在としたものである。
【先行技術文献】
【特許文献】
【０００４】
【特許文献１】実用新案登録第３０２５５８０号公報
【考案の開示】
【考案が解決しようとする課題】
【０００５】
ところが、上述したようなバネによって雌雄を結合するホックでは、その結合力が強過ぎたり、雄ホックの突部と雌ホックの開口とを上手にあわせられなかったりして、幼児や高齢者、手の不自由な人などには着脱が困難なことがあった。
【０００６】
また、上記特許文献１のような従来のマグネットホックは、ホックを衣服、鞄、靴などに用いることを勘案した場合、スナップホックのように例えば衣服の表面にあらわれるようなキャップ部を備えていないため、ロゴマークなどを施すことができず、デザイン性に乏しいものであった。また、従来のマグネットホックは、スナップホックに比べて構成が複雑であり、製品一個あたりの製造コストが高くなっていた。さらに、スナップホックのように布地にかしめて取り付けるものではないため、生産性が低いものであった。
【０００７】
そこで本考案は、上記状況に鑑みてなされたもので、スナップホックと同様にかしめて簡単に布地などの被着体に取り付けられ、マグネットの磁力によって結合することで雌雄の着脱が容易となり、従来のマグネットホックに比べて生産性が高いうえに製造コストが低く、デザイン性に優れたマグネットホックを提供することを目的としている。
【課題を解決するための手段】
【０００８】
次に、上記の課題を解決するための手段を、実施の形態に対応する図面を参照して説明する。
本考案の請求項１記載のマグネットホックは、一方の被着体２Ａに金属製の突部４ａを突出させて固着された雄ホック３と、
他方の被着体２Ｂの表面に配置され、該被着体２Ｂを貫通するかしめ突起９が突設されたキャップ部７を備えるとともに、前記他方の被着体２Ｂの裏面に配置され、底部１２の中央が開口１２ａ形成された有底筒状のケース１１と、前記ケース１１内に嵌入される略円環状のマグネット１４と、中央が開口１５ａ形成された略円板状の蓋部１５とからなり、前記ケース１１内に嵌入された前記マグネット１４上に前記蓋部１５を載せた状態で前記ケース１１の上縁部１３を内側に折り曲げてこれらが一体化されたソケット部１０を備え、前記キャップ部７の前記かしめ突起９を前記ソケット部１０の前記蓋部１５の開口１５ａに挿通させた状態でかしめることによって前記他方の被着体２Ｂに固着された雌ホック６と、から構成され、
前記雄ホック３の前記突部４ａを前記雌ホック６の前記ケース１１の開口１２ａに挿入することで前記雄ホック３と前記雌ホック６とが磁力にて結合することを特徴としている。
【０００９】
なお、前記雄ホック３は、一般的なスナップホックに用いられるものである。また、雌ホック６を構成するキャップ部７は、一般的なスナップホックに用いられるものである。
【００１０】
請求項２記載のマグネットホックは、前記ケース１１の前記上縁部１３が複数片に分割されたことを特徴としている。
【００１１】
請求項３記載のマグネットホックは、前記ソケット部２０を構成する前記ケース２１の底部２２の中央に形成された開口が、主開口２２ａと、前記主開口２２ａと周縁を合成させて該主開口２２ａに切欠き状に形成された副開口２２ｂとからなることを特徴としている。
【考案の効果】
【００１２】
本考案のマグネットホックによれば、キャップ部をソケット部にかしめて他方の被着体に取り付けるため、スナップホックのように簡単に取り付けることができる。また、このように簡単に被着体に取り付けられるため、従来のマグネットホックに比べて生産性が向上する。さらに、従来のマグネットホックに比べて構成が簡単になるため、製品一個あたりの製造コストが低くなる。
【００１３】
また、雌雄のホックは磁力によって結合されるため、着脱が容易となり、幼児や高齢者、手の不自由な人などにも簡単に扱えるようになる。
【００１４】
さらに、スナップホックのようにキャップ部を備えるため、このキャップ部にブランドのロゴマークや色彩などを施すことが可能となり、ホックにデザイン性を具備することができる。
【００１５】
また、雌ホックのソケット部を構成しているケースの上縁部が複数片に分割されており、この部分が折り曲げられているため、雌ホックを他方の被着体に取り付けたときに折り曲げられた部分が被着体に食い込んで、雌ホックの回転を防止するようになる。
【００１６】
さらに、雌ホックと雄ホックを結合したときに、雄ホックの突部をスライドさせて副開口に嵌入することで突部が外れにくくなり、雌雄のホックの結合を更に強化することができる。
【図面の簡単な説明】
【００１７】
【図１】（ａ）〜（ｃ）本考案によるマグネットホックの第一の実施の形態の雌ホックを構成するソケット部を組み立てる手順を示す斜視図である。
【図２】（ａ），（ｂ）第一の実施の形態にて雌ホックを被着体に取り付ける手順を示す断面図である。
【図３】（ａ）〜（ｃ）第一の実施の形態にて雄ホックと雌ホックとを着脱する様子を示す断面図である。
【図４】同マグネットホックの第二の実施の形態の雌ホックを構成するソケット部を示す斜視図である。
【図５】（ａ），（ｂ）第二の実施の形態にて雄ホックと雌ホックとを着脱する様子を示す断面図である。
【考案を実施するための形態】
【００１８】
以下、本考案の各実施の形態を図面を参照して具体的に説明する。
この実施の形態のマグネットホック１は、衣服、鞄、靴などの日常品における開閉部に用いるものである。図３に示すように、マグネットホック１は、雄ホック３と雌ホック６とからなり、雄ホック３が一方の被着体２Ａに固着され、雌ホック６が他方の被着体２Ｂに固着される。ここで、被着体２Ａ，２Ｂは、衣服や鞄などを構成する布地や皮革などである。
【００１９】
「第一の実施の形態」
まず、図３を参照して雄ホック３について説明する。なお、この雄ホック３は、一般的なスナップホックに用いられるものと同様のものである。
【００２０】
図３に示すように、雄ホック３は、金属製の略円板状の部材にプレス加工などによってその中央に突部４ａが形成された一方の部品４と、金属製の略円板状の部材の中央にいわゆるホソと呼ばれるかしめ突起５ａが突設された他方の部品５とから構成されている。また、部品４の突部４ａは、いわゆるゲンコと呼ばれるものであり、雌雄のホックを結合するために雌ホック６の開口に挿入する部分である。雄ホック３は、部品４を一方の被着体２Ａの他方の被着体２Ｂと対向する面（この面を裏面とする）に配置し、部品５を一方の被着体２Ａの表面に配置して部品５のかしめ突起５ａを突部４ａの内面にてかしめて二つの部品４，５を結合し、雄ホック３は一方の被着体２Ａに固着される。
【００２１】
次に、図１，２を参照して雌ホック６について説明する。雌ホック６は、特に図２に示すように、キャップ部７とソケット部１０とから構成されている。なお、キャップ部７は、一般的なスナップホックに用いられるものと同様のものである。
【００２２】
図２に示すように、キャップ部７は、雌ホック６を取り付けた状態において他方の被着体２Ｂの表面にあらわれるデザイン部８を備えている。この実施の形態では、デザイン部８は、表面が湾曲した略円板状に形成されている。デザイン部８の湾曲した表面にはブランドのロゴマークや色彩などの様々なデザインを施すことができる。なお、デザイン部８の形状は、上述したような湾曲した略円板形状に限定されず、例えばフラットな円板形状であってもよい。それ以外にも、楕円形状、三角形状、四角形状、その他の多角形状などの形状であってもよい。また、キャップ部７（デザイン部８）の裏面の中央にはかしめ突起９が突設されている。
【００２３】
図１（ａ）に示すように、ソケット部１０は、ケース１１と、マグネット１４と、蓋部１５とから構成されている。ケース１１は、真鍮材などからなる金属板がプレス加工などによって有底の略円筒状に形成されたものであり、その底部１２の中央には略円形の開口１２ａが形成されている。また、ケース１１の上縁部１３は複数（六つ）片に分割されて、略矩形の係合爪を形成している。なお、この実施の形態では、上縁部１３は六つに分割されているが、分割数はこれに限定されず、四つ、五つ、八つなど任意の数に分割されてよい。また、ケース１１の素材は、ここでは真鍮材としているが、アルミなどの軽金属などであってもよい。
【００２４】
マグネット１４は、略円環状に形成されており、ケース１１内に嵌入されるものである。この実施の形態に好ましいものとしては、例えばフェライト磁石やネオジム磁石などがある。
【００２５】
蓋部１５は、上述したケース１１と同様に、真鍮材などからなる金属板がプレス加工などによって略円板状に形成されたものであり、外径がケース１１の内径よりもやや小径な略円板状に形成されており、その中央には略円形の開口１５ａが形成されている。なお、この蓋部１５の素材も、ケース１１と同様にアルミなどの軽金属などであってもよい。
【００２６】
図１（ｂ），（ｃ）に示すように、ソケット部１０は、ケース１１内にマグネット１４を嵌入し、嵌入されたマグネット１４上に蓋部１５を載せた状態でケース１１の上縁部の係合爪１３を内側に折り曲げて一体化されてなる。
【００２７】
図２（ａ）に示すように、キャップ部７が他方の被着体２Ｂの表面に配置され、ソケット部１０が他方の被着体２Ｂの裏面に配置され、他方の被着体２Ｂを介してキャップ部７のかしめ突起９をソケット部１０の蓋部１５の開口１５ａ上に位置させてから専用のかしめポンチなどでかしめ突起９をかしめることによって、図２（ｂ）に示すように、雌ホック６は他方の被着体２Ｂに固着される。
【００２８】
ここで、図３を参照して雄ホック３と雌ホック６の着脱について説明する。
図３（ａ）に示すように、雄ホック３及び雌ホック６のいずれか一方又はその両方を手指Ｆなどで動かして突部４ａとソケット部１０の開口１２ａを位置合せし、図３（ｂ）に示すように、雄ホック３の突部４ａを雌ホック６の開口１２ａ内に挿入するだけで雌雄のホック３，６を結合することができる。このとき、雄ホック３と雌ホック６とはマグネット１４の磁力によって結合されるため、スナップホックのように押し込む力を必要とせずに結合することができる。
【００２９】
なお、図３（ｃ）に示すように、雌ホック６を雄ホック３から引き離すことによって雌雄のホック３，６を分離することができる。
【００３０】
上述した実施の形態によれば、雌ホック６は、キャップ部７とソケット部１０をかしめて他方の被着体２Ｂに取り付けるため、スナップホックのように簡単に取り付けることができる。
【００３１】
また、雌雄のホック３，６は磁力によって結合されるため、着脱が容易となり、幼児や高齢者、手の不自由な人などにも簡単に扱えるようになる。
【００３２】
さらに、スナップホックのようにキャップ部７を備えるため、このキャップ部７にブランドのロゴマークや色彩などを施すことが可能となり、ホック１にデザイン性を具備することができる。
【００３３】
また、雌ホック６のソケット部１０を構成しているケース１１の上縁部が係合爪１３を形成し、係合爪１３が折り曲げられているため、雌ホック６を他方の被着体２Ｂに取り付けたときに折り曲げられた係合爪１３が被着体２Ｂに食い込んで、雌ホック６の回転を防止するようになる。
【００３４】
「第二の実施の形態」
なお、これから説明する第二の実施の形態は、前記雌ホックのソケット部の構成において第一の実施の形態と異なる。したがって、上述した第一の実施の形態と同一又は同等の箇所には同じ符号を付し、その説明を省略する。
【００３５】
図４に示すように、雌ホック６（図１など参照）のソケット部２０は、上述した第一の実施の形態と同様に、ケース２１と、マグネット２４と、蓋部２５とから構成されている。ケース２１は、真鍮材などからなる金属板がプレス加工などによって有底の略円筒形状に形成されたものである。ケース２１の底部２２の中央には略円形の主開口２２ａと、この主開口２２ａと周縁同士を合成させた略円形の副開口２２ｂとが形成されている。つまり、副開口２２ｂは主開口２２ａに切欠き状に形成され、主開口２２ａと副開口２２ｂとで略瓢箪形状をなしている。また、副開口２２ｂの内径は、雄ホック３の突部４ａの根元部分に形成されたくびれの外径よりも僅かに大きな径に形成されている。
【００３６】
ケース２１の上縁部２３は、上述した第一の実施の形態と同様に、複数（六つ）片に分割されて略矩形の係合爪を形成している。なお、この実施の形態でも、上縁部２３の分割数は六つに限定されず、四つ、五つ、八つなど任意の数に分割されてよい。また、ケース２１の素材はアルミなどの軽金属であってもよい。
【００３７】
マグネット２４は、上述した第一の実施の形態と同様に、略円環状に形成されており、ケース２１内に嵌入されるものである。ただし、マグネット２４の内周円の径は、半径が主開口２２ａと副開口２２ｂの最大半径よりも僅かに大きくなるように形成されている。また、この実施の形態に好ましいものとしては、例えばフェライト磁石やネオジム磁石などがある。
【００３８】
蓋部２５は、上述した第一の実施の形態と同様に、真鍮材などからなる金属板がプレス加工などによって略円板状に形成されたものであり、外径がケース２１の内径よりもやや小径な略円板状に形成されており、その中央には略円形の開口２５ａが形成されている（図５参照）。なお、蓋部２５の素材はアルミなどの軽金属などであってもよい。
【００３９】
ソケット部２０は、ケース２１内にマグネット２４を嵌入し、嵌入されたマグネット２４上に蓋部２５を載せた状態でケース２１の上縁部の係合爪２３を内側に折り曲げて一体化されてなる。
【００４０】
ここで、図５を参照して雄ホック３と雌ホック６の着脱について説明する。
図５（ａ）に示すように、雄ホック３及び雌ホック６のいずれか一方又はその両方を手指などで動かして突部４ａとソケット部２０の主開口２２ａを位置合せし、雄ホック３の突部４ａを雌ホック６の主開口２２ａ内に挿入する。そして、図５（ｂ）に示すように、雄ホック３をソケット部２０の副開口２２ｂ側にスライドさせて突部４ａの根元部分が副開口２２ｂに嵌入するように移動し、雌雄のホック３，６を結合する。なお、雄ホック３と雌ホック６を分離するときには、この手順を逆から行う。
【００４１】
上述した実施の形態によれば、第一の実施の形態と同様の効果に加えて、雄ホック３と雌ホック６を結合したときに、雄ホック３の突部４ａをスライドさせて副開口２２ｂに嵌入することで突部４ａが外れにくくなり、雌雄のホック３，６の結合を更に強化することができる。
【００４２】
なお、上述した第一及び第二の実施の形態では、マグネットホック１のサイズについて言及していないが、スナップホックなどのサイズには大別して大、中、小があり、これと同様にマグネットホック１にも大、中、小の三つのサイズを備えることができる。通常、強い結合力を得たいときには大サイズ、弱い結合力を得たいときには小サイズのものを使用するが、このとき、同種のマグネット１４であればサイズが大きい方が磁力が強くなるため、ホック１のサイズに適合した結合力が得られる。
【符号の説明】
【００４３】
１…マグネットホック
２Ａ…一方の被着体
２Ｂ…他方の被着体
３…雄ホック
４…一方の部品
４ａ…突部
５…他方の部品
５ａ…かしめ突起
６…雌ホック
７…キャップ部
８…デザイン部
９…かしめ突起
１０，２０…ソケット部
１１，２１…ケース
１２，２２…底部
１２ａ…開口
１３，２３…上縁部（係止爪）
１４，２４…マグネット
１５，２５…蓋部
１５ａ，２５ａ…開口
２２ａ…主開口
２２ｂ…副開口
Ｆ…手指
【図１】
0003154004.tif 000003
【図２】
0003154004.tif 000004
【図３】
0003154004.tif 000005
【図４】
0003154004.tif 000006
【図５】
0003154004.tif 000007